(57)【要約】  【課題】ギアが側板から抜け落ちることを防止するとともに、ギアの回転中心部から離れた部位で生じ易いギアの回転ブレを抑制する転写具を提供する。  【解決手段】転写用糊Ｔを転写対象物に転写する際に用いられる転写具Ａであって、転写用糊Ｔを保持する一対の第１外側板２１、第２外側板１１と、これら一対の外側板１１、２１間に回転可能に支持され転写用糊Ｔを保持してなる一対のスプールＳＰ１、ＳＰ２と、これら一対のスプールＳＰ１、ＳＰ２を回転駆動させ相互に噛合する一対のギアＧ１、Ｇ２とを具備してなり、第１外側板２１に、第２外側板１１に向かって突出しギアＧ１、Ｇ２を枢支する回転支軸２１１、２１２を設け、ギアをＧ１、Ｇ２を回転支軸２１１、２１２に枢支させた状態において、ギアＧ１が回転支軸２１１の軸方向に沿って抜出することを規制する規制手段Ｒを、第１外側板２１とギアＧ１との間であって、且つギアＧ１と回転支軸２１１との枢着部位とは異なる部位に設けた。【選択図】図２
2005199631.tif 000002
【特許請求の範囲】
【請求項１】
転写物を転写対象物を転写する際に用いられる転写具であって、  前記転写物を保持する一対の側板と、これら一対の側板間に回転可能に支持され前記転写物を保持してなる一対のスプールと、これら一対のスプールを回転駆動させ相互に噛合する一対のギアとを具備してなり、前記一対の側板のうち何れか一方の側板に、他方の側板に向かって突出し前記ギアを枢支する回転支軸を設け、
前記ギアを前記回転支軸に枢支させた状態において、前記ギアが前記回転支軸の軸方向に沿って抜出することを規制する規制手段を、前記一方の側板又は前記回転支軸と前記ギアとの間であって、且つ前記ギアと前記回転支軸との枢着部位とは異なる部位に設けていることを特徴とする転写具。
【請求項２】
前記規制手段が、前記ギアにおける中心部と外縁との中間位置よりも前記外縁側の部位と、前記一方の側板又は前記回転支軸とを相互に係り合わせて前記ギアを所定の取付位置に位置決めし得るものである請求項１記載の転写具。
【請求項３】
前記規制手段を、前記ギアに形成され所定の開口巾を有する略円環状の凹部と、前記一方の側板又は前記回転支軸に設けられ前記ギアの回転動作を妨げない範囲において前記凹部に挿入され前記ギアと係合する係合部とを用いて構成している請求項１又は２記載の転写具。
【請求項４】
前記凹部内に、当該凹部の前記開口巾を狭める方向に突出させてなる段部を設けるとともに、前記係合部に、当該段部に係合可能な係合爪を設けている請求項３記載の転写具。
【請求項５】
前記段部を前記凹部の内周面又は外周面に沿って略円弧状に設けるとともに、段部の一部に切欠きを形成し、当該切欠きを介して前記係合爪を前記凹部に挿入し且つ前記段部に係合させるように構成している請求項４記載の転写具。
【請求項６】
前記ギアに、前記凹部の内方側の部位と前記凹部の外方側の部位とを接続するアーム部を設けている請求項３、４又は５記載の転写具。
【請求項７】
前記凹部が、前記ギアを肉厚方向に貫通させてなるスリットである請求項３、４、５又は６記載の転写具。
【請求項８】
前記規制手段を、前記一方の側板又は前記回転支軸に設けられ前記ギアの回転動作を妨げない範囲において前記ギアの一部に係合する係合部を用いて構成している請求項１又は２記載の転写具。
【請求項９】
前記係合部に、前記ギアにおいて当該ギアを取り付けていない他方の側板側を向く部位に係合可能な係合爪を設けている請求項８記載の転写具。
【請求項１０】
前記係合部を前記一方の側板又は前記回転支軸に複数設けている請求項３、４、５、６、７、８又は９記載の転写具。
【請求項１１】
前記規制手段を、前記一対のギアのうち一方のギアと前記一方の側板又は前記回転支軸との間にのみ設け、他方のギアの一部を、前記一方のギアと前記一方の側板との間に位置付けている請求項１、２、３、４、５、６、７、８、９又は１０記載の転写具。
【請求項１２】
前記他方のギアが、前記一方のギアと噛合するギア本体と、当該ギア本体の径より大きい径に設定された大径部とを有するものであり、当該大径部を前記一方のギアと前記一方の側板との間に位置付けている請求項１１記載の転写具。
【請求項１３】
前記ギア本体と前記大径部とを一体に形成している請求項１２記載の転写具。
【請求項１４】
前記ギアと前記回転支軸との枢着部位に、前記ギアと共に回動し、前記回転支軸に対して回転可能に外嵌するとともに、前記スプールと係合する筒状部を設けている請求項１、２、３、４、５、６、７、８、９、１０、１１、１２又は１３記載の転写具。
【請求項１５】
前記筒状部を前記ギアに一体に設けている請求項１４記載の転写具。
【請求項１６】
少なくとも前記転写物及び前記スプールを保持する詰替カートリッジと、当該詰替カートリッジを着脱可能に収納するケースとを具備してなり、前記回転支軸に前記ギアを枢支させた前記一方の側板が、前記ケースを構成する部材である請求項１、２、３、４、５、６、７、８、９、１０、１１、１２、１３、１４又は１５記載の転写具。
【発明の詳細な説明】
【技術分野】
【０００１】
本発明は、転写物を転写対象物に転写する際に用いる転写具に関するものである。
【背景技術】
【０００２】
従来より、転写物を転写対象物に転写する際に用いられる転写具として種々のものが考えられている。このような転写具において、前記転写物を保持する一対の側板間に回転可能に支持され前記転写物を取り付けてなる一対のスプールと連動し、これら一対のスプールを回転駆動させ相互に噛合する一対のギアを、側板に設けた回転支軸に回転可能に取り付けている。そしてこれらギアを回転支軸に取り付ける態様として、回転支軸に軸方向に沿って複数のスリットを形成するとともに、スリットに囲まれてなる部位の先端部に係合爪を設け、ギアに設けられ前記回転支軸に外嵌し得る筒状部を、回転支軸の先端部から押し込む操作に伴って、前記スリットに囲まれてなる部位が相互に相寄る方向に撓み、筒状部が係合爪を乗り越えた際に、スリットに囲まれてなる部位が弾性復帰し、係合爪が筒状部と係合するとともに、回転支軸が筒状部に外嵌され、ギアが回転支軸の軸方向に抜出することを規制するように構成しているものが挙げられる。（例えば特許文献１参照）。
【特許文献１】登録実用新案第２５３２９６７号公報（第１〜３頁、第２図、第３図）
【発明の開示】
【発明が解決しようとする課題】
【０００３】
ところが、従来のものは、回転支軸に設けた係合爪を利用してギアと回転支軸とを相互に係合させているため、ギアと回転支軸との枢着部位から離れた位置、特にギアの外縁においてギアの回転ブレが生じ易く、今ひとつ使い勝手に優れないものである。殊更、回転支軸に対するギア（筒状部）の嵌め込み作業がスムーズに行えるように回転支軸とギア（筒状部）とのクリアランスを若干大きく設定してある場合には、上記不具合が生じ易い。また、ギアの回転ブレを抑制するために、ギアを回転支軸に枢支させた状態において、回転支軸を設けた側板とギアとの間であって且つギアの中心部及び／又はギアの外縁部近傍に、リブや突部を介在させる態様も考えられるが、部品点数の増加、製作工程の煩雑化を招き、コスト面からも好ましくない。
【０００４】
本発明は、このような課題に着目してなされたものであって、主たる目的は、ギアが側板から抜け落ちることを防止するとともに、ギアの回転中心部から離れた部位で生じ易いギアの回転ブレを抑制する転写具を提供することにある。
【課題を解決するための手段】
【０００５】
すなわち、本発明の転写具は、転写物を転写対象物に転写する際に用いられるものであって、前記転写物を保持する一対の側板と、これら一対の側板間に回転可能に支持され前記転写物を保持してなる一対のスプールと、これら一対のスプールを回転駆動させ相互に噛合する一対のギアとを具備してなり、前記一対の側板のうち何れか一方の側板に、他方の側板に向かって突出し前記ギアを枢支する回転支軸を設け、前記ギアを前記回転支軸に枢支させた状態において、前記ギアが前記回転支軸の軸方向に沿って抜出することを規制する規制手段を、前記一方の側板又は前記回転支軸と前記ギアとの間であって、且つ前記ギアと前記回転支軸との枢着部位とは異なる部位に設けていることを特徴とする。
【０００６】
このようなものであれば、規制手段によってギアが側板から抜け落ちることを防止することができるとともに、ギアと回転支軸との枢着部位、つまりギアの回転中心部とは異なる部位に規制手段を設けているため、ギアの回転中心部から離れた部位で生じ易いギアの回転ブレをも抑制することができる。また、設定次第では、回転支軸とギアとのクリアランスも極力小さく設定することも可能であり、従来の不具合、すなわち、例えば回転支軸に設けた係合爪等をギアに嵌め込んで回転支軸とギアとを係合させる場合、嵌め込み作業がスムーズに行えるように回転支軸とギアとのクリアランスが若干大きく設定してあるためにギアの回転ブレが生じるという不具合を有効に解消することも可能である。加えて、上記係合爪を用いた嵌め込み係合の態様と比較して、回転支軸及びギアの構造を簡素化することができるとともに、係合爪等の部品が存在しないため回転支軸とギアとの摺動状態をより良好なものとすることができる。なお、「転写物を保持する一対の側板」は、転写物を一対の側板を用いて直接保持する態様（いわゆる使い捨てタイプの転写具）、及び転写物を側板間に間接的に保持させている態様（詰替カートリッジタイプの転写具）何れをも含む。また、「これら一対の側板間に回転可能に支持され前記転写物を取り付けてなる一対のスプール」は、スプールを一対の側板を用いて直接保持する態様（いわゆる使い捨てタイプの転写具）、及びスプールを側板間に間接的に保持させている態様（詰替カートリッジタイプの転写具）何れをも含む。
【０００７】
また、前記規制手段が、前記ギアにおける中心部と外縁との中間位置よりも前記外縁側の部位と、前記一方の側板又は前記回転支軸とを相互に係り合わせて前記ギアを所定の取付位置に位置決めし得るものであれば、ギアと一方の側板又は回転支軸との枢支状態の安定性を向上させることができ、ギアの外縁部で生じ易い回転ブレをより確実に抑制することができる。特に、ギアの外縁近傍部位を一方の側板又は回転支軸に係合させた場合に最も安定したものとすることができる。
【０００８】
簡素な構造を用いて規制手段を構成するには、前記規制手段を、前記ギアに形成され所定の開口巾を有する略円環状の凹部と、前記一方の側板又は前記回転支軸に設けられ前記ギアの回転動作を妨げない範囲において前記凹部に挿入され前記ギアと係合する係合部とを用いて構成すればよい。
【０００９】
特に、前記凹部内に、この凹部の前記開口巾を狭める方向に突出させてなる段部を設けるとともに、前記係合部に、この段部に係合可能な係合爪を設けていれば、段部に係合爪を係合させることにより凹部と係合部との係合状態を良好なものとすることができる。
【００１０】
さらに、前記段部を前記凹部の内周面又は外周面に沿って略円弧状に設けるとともに、段部の一部に切欠きを形成し、この切欠きを介して前記係合爪を前記凹部に挿入し且つ前記段部に係合させるように構成すれば、係合爪を段部に係合させる操作をスムーズに行うことができる。
【００１１】
前記ギアに、前記凹部の内方側の部位と前記凹部の外方側の部位とを接続するアーム部を設けることにより、ギアに凹部を形成することによってギアが凹部を境に２つの部材に分断されることを回避することができるとともに、アーム部が凹部又はその凹部の周辺領域を補強するリブとしても機能する。ここで「凹部の内方側の部位」とは、ギアにおける凹部の内周面より内側の領域を意味し、「凹部の外方側の部位」とは、ギアにおける凹部の外周面より外側の領域を意味する。
【００１２】
前記凹部を簡単に形成するには、前記凹部を、前記ギアを肉厚方向に貫通させてなるスリットにすればよい。
【００１３】
一方、規制手段の他の構成として、前記規制手段を、前記一方の側板又は前記回転支軸に設けられ前記ギアの回転動作を妨げない範囲において前記ギアの一部に係合する係合部を用いて構成しているものが挙げられる。このようなものであれば、上述した規制手段と比較して、ギアに凹部を形成する必要がなく、構造の簡略化を図ることがでできる。この場合、前記係合部に、前記ギアにおいてこのギアを取り付けていない他方の側板側を向く部位に係合可能な係合爪を設けていればよい。なお、「他方の側板側を向く部位」とは、他方の側板の内側面に直接又は間接的に対面する部位を意味する。
【００１４】
規制手段の係合状態をより安定したものとするには、前記係合部を前記一方の側板又は前記回転支軸に複数設ければよい。
【００１５】
また、前記規制手段を、前記一対のギアのうち一方のギアと前記一方の側板又は前記回転支軸との間にのみ設け、他方のギアの一部を、前記一方のギアと前記一方の側板との間に位置付けるように設定すれば、規制手段を一方のギアにのみ関連付けて設けるだけでよいため、規制手段を何れのギアにも関連付けて設ける態様と比較して、部品点数の削減及び製作工程の簡素化を図ることができるとともに、規制手段により相互に係り合わせた一方のギアと一方の側板との間に他方のギアを介在させることにより他方のギアの抜止も防止することができる。
【００１６】
この場合の具体的な実施態様としては、前記他方のギアが、前記一方のギアと噛合するギア本体と、このギア本体の径より大きい径に設定された大径部とを有するものであり、この大径部を前記一方のギアと前記一方の側板との間に位置付けていることが好ましい。そして、前記ギア本体と前記大径部とを一体に形成していれば、部品点数の削減を図るとともに、大径部自体の強度をも有効に高めることができる。
【００１７】
また、前記ギアと前記回転支軸との枢着部位に、前記ギアと共に回動し、前記回転支軸に対して回転可能に外嵌するとともに、前記スプールと係合する筒状部を設ければ、回転支軸と筒状部との嵌合により、ギアと回転支軸との枢着部位における強度を高めることができるとともに、この筒状部とスプールとが相互に係合するため、ギアの回転動作とスプールの回転動作とを確実に関連付けて行わせることができる。この場合、前記筒状部を前記ギアに一体に設けていれば部品点数の削減に資する。
【００１８】
転写具自体が、少なくとも前記転写物及び前記スプールを保持する詰替カートリッジと、この詰替カートリッジを着脱可能に収納するケースとを具備してなり、前記回転支軸に前記ギアを枢支させた前記一方の側板が、前記ケースを構成する部材であれば、規制手段を介してケース側にギアを係合させた状態において、詰替カートリッジを交換する作業時等に、例えばケースを上下左右反転させた場合であってもギアがケースから落下することがなく、使い勝手に優れたものとなる。
【発明の効果】
【００１９】
以上説明したように本発明の転写具によれば、規制手段によってギアと回転支持との枢支状態を良好なものとすることができ、ギアの側板からの抜落を確実に防止することができる。加えて、ギアと回転支軸との枢着部位、つまり、ギアの回転中心部とは異なる部位に規制手段を設けているため、ギアの回転中心部から離れた部位で生じ易いギアの回転ブレを抑制することができる。また回転支軸とギアとのクリアランスを極力小さく設定することが可能であり、これにより、ギアと回転支軸との枢着部位における回転ブレを抑制することができ、その結果、枢着部位から離れた部位におけるギアの回転ブレをもより確実に抑えることができる。さらに、枢着部位における回転支軸とギアとを係合爪等を用いて係合する構成とはしていないため、回転支軸の構造を簡略化することができるとともに、回転支軸とギアとの摺動状態をより良好なものとすることができる。
【発明を実施するための最良の形態】
【００２０】
以下、本発明の一実施形態を、図面を参照して説明する。
【００２１】
本発明に係る転写具Ａは、例えば図１及び図２等に示すように、テープ本体Ｔａと、このテープ本体Ｔａの片面に所定のパターンで貼着した図示しない糊とからなる転写物たる転写用糊Ｔを内部に収容し、この転写用糊Ｔを転写対象物たる紙葉類等の紙面（図示省略）等に貼付するものである。
【００２２】
本実施形態における転写具Ａは、主として、前記転写用糊Ｔ等を保持する詰替カートリッジ１と、この詰替カートリッジ１を着脱可能に収納するケース２とから構成され、ケース２には、このケース２に対して相対的にスライド移動可能なスライド部材３を取り付けている。なお、以下の説明において位置もしくは方向を示す用語である「前」とは、転写ヘッドが位置する側を指し、「後」とは転写ヘッドが位置する側の反対側を指す。また、「前後方向」とは転写具の長手方向を指す。
【００２３】
詰替カートリッジ１は、図１乃至図３に示すように、主として、転写具Ａの一方の外側壁となる第２外側板１１と、この第２外側板１１に対向配置される内側板１２とから構成され、これら第２外側板１１と内側板１２との間に、本発明の「一対のスプール」たる巻出用スプールＳＰ１及び巻取用スプールＳＰ２と、これら巻出用スプールＳＰ１及び巻取用スプールＳＰ２に取り付けられた転写用糊Ｔと、転写用糊Ｔを紙葉類等の紙面等に接触させる転写ヘッドＫと、転写ヘッドＫの先端部Ｋａを被覆し得る転写ヘッド被覆位置と転写ヘッドＫの先端部Ｋａを表出させてなる転写ヘッド表出位置との間で回動可能なヘッドキャップＣとを挟み込むようにして保持している（図２参照、なお同図では巻出用スプールＳＰ１及び巻取用スプールＳＰ２を省略している）。なお、第２外側板１１が、本発明の一対の側板のうち「他方の側板」に相当する。また、図１は、ヘッドキャップＣを転写ヘッド被覆位置に位置させた状態の転写具Ａを示している。
【００２４】
第２外側板１１は、図３に図示するように、例えば合成樹脂製の薄板状をなし、本実施形態では側面視概略卵形をなすものとしている。第２外側板１１の前端部には、斜め下方に向かって延出させてなる薄板状の延出部１１０を設け、この延出部１１０の略中央部に後述するヘッドキャップＣの回転支軸Ｃ１１が挿入可能な貫通孔１１０ａを形成してある。また、第２外側板１１の内側面における前端部には、転写ヘッドＫを支持し得る支持軸１１１を内側板１２側に向けて突出するように形成している。これに対して転写ヘッドＫには、前記支持軸１１１を挿入させる孔部Ｋｂが形成してある。さらに、第２外側板１１の後端部には、後方に突出させてなる嵌合爪１１２を設け、この嵌合爪１１２を、転写具Ａの使用状態（スライド部材３がスライド始端位置に位置する状態）においてスライド部材３に形成した後述する嵌合孔３２１に嵌合するように設定してある。加えて、第２外側板１１の内側面における前端部側の下端部に、内側板１２側に向けて突出させてなる凸部１１５を一体に形成している。この凸部１１５は、略円柱状をなす小突起であり、ヘッドキャップＣを前記転写ヘッド表出位置に位置させた場合に、後述するヘッドキャップＣの凹部Ｃ１２ａに嵌合し得るように設定してある。また、第２外側板１１の内側面には、内側板１２に一側端部側を回転可能に支持される巻出用スプールＳＰ１及び巻取用スプールＳＰ２の他方の側端部が当接又は近接し得る所定領域に、巻出用スプールＳＰ１及び巻取用スプールＳＰ２をそれぞれ回転可能に支持する図示しない支持凹部を形成している。
【００２５】
一方、内側板１２は、例えば合成樹脂製の薄板状をなすものであり、本実施形態では後端部側を側面視略部分円弧状にするとともに、前端部側を側面視略方形状としている。この内側板１２の前端部にも、第２外側板１１と同様に、斜め下方に向かって延出させてなる延出部１２０を設け、この延出部１２０の略中央部に後述するヘッドキャップＣの回転支軸Ｃ１１が挿入可能な貫通孔１２０ａを形成してある。そして、内側板１２と第２外側板１１とを組み付けた状態において、それぞれに設けた延出部１１０、１２０が対向し、延出部１１０、１２０の貫通孔１１０ａ、１２０ａに後述するヘッドキャップＣの回転支軸Ｃ１１をそれぞれ挿着することにより、ヘッドキャップＣが回転支軸Ｃ１１を支点に回動するように設定している。ヘッドキャップＣについての詳細な説明は後述する。また、内側板１２の内側面における前端部には、第２外側板１１に形成した前記支持軸１１１の先端部を受け入れる受孔１２１を形成している。また、内側板１２の後端部側及び前後方向略中央部には、巻出用スプールＳＰ１及び巻取用スプールＳＰ２の一側端部が挿入され、巻出用スプールＳＰ１及び巻取用スプールＳＰ２をそれぞれ回転可能に支持し得る支持孔１２２、１２３を開口させている。なお、巻出用スプールＳＰ１用の支持孔１２２の直径は、巻取用スプールＳＰ２用の支持孔１２３の直径よりも大きくしてあるが、これは、巻出用スプールＳＰ１及び巻取用スプールＳＰ２の各径の大きさに対応させたためである。ここで、巻出用スプールＳＰ１及び巻取用スプールＳＰ２は、いずれも両側端部に鍔部を一体に設けた略円筒状のものであり、一側端部を前記支持孔１２２、１２３に挿入し且つ他方の側端部を前記第２外側板１１の図示しない支持凹部に当接又は近接させた状態で、内側板１２と第２外側板１１との間に回転可能に支持されている。
【００２６】
これら第２外側板１１と内側板１２とは、図３に示すように、嵌め合わせ構造となっている。そのために、第２外側板１１の内側面に、筒状部１１３ａと、小突起１１３ｂ、１１３ｃ、１１３ｄ、１１３ｅとを内側板１２側に向かって突出させて設け、内側板１２の内側面には、筒状部１１３ａに内嵌し得る小突起１２４ａと、各小突起１１３ｂ、１１３ｃ、１１３ｄ、１１３ｅをそれぞれ外嵌し得る筒状部１２４ｂ、１２４ｃ、１２４ｄ、１２４ｅとを第２外側板１１側に向かって突出させて設けている。具体的には、第２外側板１１の前端部側に扁平な形状をなす筒状部１１３ａを形成し、前後方向略中央部における上下２箇所に小突起１１３ｂ、１１３ｃを形成し、後端部側に高さ方向に所定距離離間させて小突起１１３ｄ、１１３ｅを形成している。小突起１１３ｂ、１１３ｃ、１１３ｄ、１１３ｅは何れも突出寸法の小さい略円柱状をなしている。なお、第２外側板１１の内側面に設けた前記凸部１１５の突出寸法は、小突起１１３ｂ、１１３ｃ、１１３ｄ、１１３ｅの突出寸法よりも小さく設定している。一方、筒状部１１３ａ、各小突起１１３ｂ、１１３ｃ、１１３ｄ、１１３ｅの形成箇所に対応させて内側板１２の所定箇所に小突起１２４ａ、筒状部１２４ｂ、１２４ｃ、１２４ｄ、１２４ｅを設けている。前端部側の小突起１２４ａは、筒状部１１３ａの形状に対応させて薄板状に設定しており、筒状部１２４ｂ、１２４ｃ、１２４ｄ、１２４ｅはそれぞれ略円筒状をなしている。また、本実施形態においては、前後方向略中央部に設けた上下２つの筒状部１２４ｂ、１２４ｃの外周面に連続させて突起部１２５ａ、１２５ｂを一体に設けている。突起部１２５ａは、筒状部１２４ｂの外周面からさらに上方に向かって突出させたものであり、他方、突起部１２５ｂは、筒状部１２４ｃの外周面からさらに下方に向かって突出させたものであり、それぞれ平面視略部分円弧状をなしている。
【００２７】
前記転写ヘッドＫは、図４（同図（ａ）は全体斜視図、同図（ｂ）は（ａ）におけるＭ方向矢視側面図、同図（ｃ）は底面図をそれぞれ示す）に示すように、一対の対向板Ｋ１間にローラＫｒを保持させたものである。具体的には、各対向板Ｋ１の下端部における外側面に肉薄部Ｋ１１を形成するとともに、各肉薄部Ｋ１１の先端部に貫通孔Ｋ１１ｂを形成し、これら貫通孔Ｋ１１ｂにローラＫｒの回転支軸Ｋ２の側端部をそれぞれ挿入することにより、このローラＫｒを回転支軸Ｋ２を中心に回転可能に設定している。なお、一方の貫通孔Ｋ１１ｂの下縁に、下方に連通させてなる切欠きＫ１１ｃを形成し、ローラＫｒ及び回転支軸Ｋ２の取付作業の容易化を図っている。つまり、回転支軸Ｋ２の一側端部を、切欠きＫ１１ｃを形成していない他方の貫通孔Ｋ１１ｂに挿入し、次いで回転支軸Ｋ２の他方の側端部を、前記切欠きＫ１１ｃを介して前記一方の貫通孔Ｋ１１ｂに挿着できるように設定している。また、各肉薄部Ｋ１１には、それぞれ外方に突出させてなる凸部Ｋ１１ａを設けている。各凸部Ｋ１１ａは概略部分球状をなし、ヘッドキャップＣを前記転写ヘッド被覆位置に位置させた場合に、後述するヘッドキャップＣの嵌合孔Ｃ２２ａに嵌合するように設定している。ここで、本実施形態における転写ヘッドＫの先端部Ｋａとは、対向板Ｋ１間に保持された前記ローラＫｒの先端部を指す。
【００２８】
ヘッドキャップＣは、図５（同図（ａ）は全体斜視図、同図（ｂ）は（ａ）におけるＮ方向矢視側面図、同図（ｃ）は（ｂ）におけるＡ−Ａ線断面図をそれぞれ示す）に示すように、前述した第２外側板１１、内側板１２の延出部１１０、１２０に形成した貫通孔１１０ａ、１２０ａに枢支される回転支軸Ｃ１１を基端部近傍領域に設けたものである。なお、当該段落においてヘッドキャップの位置若しくは方向を示す「基」又は「後」は、ヘッドキャップＣを転写ヘッドキャップ被覆位置に位置させた場合における転写具の後方側を指し、「先」又は「前」は、ヘッドキャップＣを転写ヘッドキャップ被覆位置に位置させた場合における転写具の前方側を指す。具体的に、このヘッドキャップＣは、基端部から前方に向かって延びるアーム部Ｃ１と、アーム部Ｃ１の先端部位に前記転写ヘッドキャップ被覆位置において転写ヘッドＫの先端部Ｋａを収容し得る収容部Ｃ２とを有する一体成形品である。アーム部Ｃ１は略薄板状をなし、側面形状を先端部に向かって反り返りながら漸次上方に向かって延びる形状に設定している。このアーム部Ｃ１の基端部における両側端部からそれぞれ側方に突出させて前記回転支軸Ｃ１１を形成している。この回転支軸Ｃ１１は、略円柱状をなし、その径を、前記第２外側板１１、内側板１２の延出部１１０、１２０に形成した貫通孔１１０ａ、１２０ａの径より若干小さく設定している。また、アーム部Ｃ１の長手方向略中央部から先端部における両側縁からそれぞれ起立させてなる起立片Ｃ１３を形成し、一方の起立片Ｃ１３の一部に、弾性可能な弾性部Ｃ１２を形成している。この弾性部Ｃ１２は、その前後及び内方に連続して形成されたスリットＣ１Ｓにより起立片Ｃ１３の他の部位とは一部非連続的な構成を有し、外部から加えられた力によって若干撓み得るように設定されている（同図（ｂ）、（ｃ）参照）。そして、弾性部Ｃ１２の略中央部に周辺領域より窪ませてなる凹部Ｃ１２ａを形成している。この凹部Ｃ１２ａは側面視円形をなし、ヘッドキャップＣを前記転写ヘッド表出位置に位置させた場合に、前記詰替カートリッジ１の第２外側板１１に設けた凸部１１５と相互に嵌合するように設定してある。収容部Ｃ２は、アーム部Ｃ１の長手方向略中央部から先端部位に亘る領域における両側縁部に設けた前記起立片Ｃ１３の上端部からそれぞれ側方に延出する底板Ｃ２１と、各底板Ｃ２１の側縁部から起立して相互に対向する一対の対向板Ｃ２２と、対向板Ｃ２２同士の前縁側を連絡するように設けられる前板Ｃ２３とを有し、これら底板Ｃ２１、対向板Ｃ２２及び前板Ｃ２３により上方及び後方を開放させてなる収容空間Ｃ２Ｓを形成している。また、各対向板Ｃ２２の上端部に、肉厚方向に貫通させてなる嵌合孔Ｃ２２ａをそれぞれ形成している。これら嵌合孔Ｃ２２ａは、ヘッドキャップＣを転写ヘッド被覆位置に位置させた場合に、転写ヘッドＫの対向板Ｋ１に設けた凸部Ｋ１１ａが嵌合するように設定してある。さらに、前板Ｃ２３の上端部に、前方に突出させてなり、前記ヘッドキャップＣの回動操作を行う際に使用者が指先を掛け得る操作部Ｃ２３１を一体に設けている。以上の構成を有するヘッドキャップＣは、前述したように、第２外側板１１と内側板１２とを組み付ける際に、回転支軸Ｃ１１を、第２外側板１１、内側板１２の延出部１１０、１２０に形成した貫通孔１１０ａ、１２０ａにそれぞれ挿着することにより、第２外側板１１と内側板１２と間に挟持された状態で回転支軸Ｃ１１を中心に回転可能に取り付けられる。
【００２９】
他方、ケース２は、図２、図６乃至図８に示すように、前記第２外側板１１と対をなして転写具Ａの外側壁を構成する第１外側板２１と、この第１外側板２１の上縁及び下縁からそれぞれ第１外側板２１と略直交する方向に起立させてなる上下一対の起立板２２、２３とを一体に備えたものである。そして、ケース２に詰替カートリッジ１を組み付けた状態において、これら上下一対の起立板２２、２３が、第２外側板１１の上縁及び下縁との間を略閉塞するように設定してある。なお、第１外側板２１が、本発明の一対の側板のうち「一方の側板」に相当する。
【００３０】
第１外側板２１は、第２外側板１１と同様に、例えば合成樹脂製の薄板状をなすものであり、後端部側に後述するスライド部材３を取り付け可能に構成し、本実施形態ではスライド部材３を後端部側に取り付けた状態における側面視形状を、詰替カートリッジ１の第２外側板１１の側面視形状に略対応するように設定している。この第１外側板２１の内側面に、前記巻出用スプールＳＰ１及び巻取用スプールＳＰ２を回転駆動させ相互に噛合する巻出用ギアＧ１と巻取用ギアＧ２とを取付可能に構成している。そのために、第１外側板２１の内側面に、第２外側板１１側（詰替カートリッジ１側）に向かって突出し巻出用ギアＧ１、巻取用ギアＧ２をそれぞれ枢支する回転支軸２１１、２１２を設けている。回転支軸２１１、２１２は、略円筒状をなし、先端部を第２外側板１１側（詰替カートリッジ１側）に開口させている。ここで巻出用ギアＧ１、巻取用ギアＧ２について説明する。なお、「巻出用ギア」が本発明の一対のギアのうち「一方のギア」に相当し、「巻取用ギア」が本発明の一対のギアのうち「他方のギア」に相当する。
【００３１】
巻出用ギアＧ１は、図６乃至図８に図示するように、巻取用ギアＧ２よりもその径を大きく設定したものであり、外縁に鋸歯を連続して設けるとともに、中央部に挿通孔Ｇ１１を形成してある。この挿通孔Ｇ１１の開口径を、回転支軸２１１の外径よりも一回り大きく設定し、後述する本発明の筒状部たるコアＨ１の挿入部Ｈ１１が挿通孔Ｇ１１と回転支軸２１１との間に介在し得るように設定している。また、巻出用ギアＧ１の外縁より若干内側の領域に本発明の凹部たるスリットＧ１２を形成している。このスリットＧ１２は、所定の開口巾を有する円環状のものであり、その中心を巻出用ギアＧ１自体の中心と一致させている。加えて、このスリットＧ１２内に、スリットＧ１２の開口巾を狭める方向に突出させてなる段部Ｇ１３を設けている。具体的に、この段部Ｇ１３は、スリットＧ１２の外周面に沿って設けられ、且つスリットＧ１２の外周面からスリットＧ１２の内周面に向かって所定寸法突出させたものである。また、この段部Ｇ１３は、その外側面を巻出用ギアＧ１の外側面と面一にするとともに、段部Ｇ１３の肉厚を巻出用ギアＧ１自体の肉厚よりも薄く設定することにより、スリットＧ１２内に段差ができるようにしている（図８参照）。さらに、段部Ｇ１３の一部に、段部Ｇ１３を肉厚方向に貫通させてなる切欠きＧ１４を形成してある。本実施形態においてはこの切欠きＧ１４を等間隔毎に３箇所形成している。加えて、巻出用ギアＧ１の内側面であって且つ前記スリットＧ１２を跨ぐ位置にアーム部Ｇ１５を設け、スリットＧ１２の内周面より内側の部位と、スリットＧ１２の外周面より外側の部位とを接続している。このアーム部Ｇ１５は薄板状のものであり、本実施形態においてはこのアーム部Ｇ１５を、前記切欠きＧ１４を形成した部位に対応するように所定の３箇所に設けている。そして、この巻出用ギアＧ１に本発明の筒状部たるコアＨ１を取り付けている。
【００３２】
コアＨ１は、巻出用ギアＧ１の挿通孔Ｇ１１に挿入可能な挿入部Ｈ１１と、この挿入部Ｈ１１の基端部側に設けられ前記巻出用スプールＳＰ１の内周面に内嵌し得るコア本体部Ｈ１２とを一体成形したものである。挿入部Ｈ１１は略筒状をなし、外径を巻出用ギアＧ１の挿通孔Ｇ１１の開口径より僅かに小さく設定するとともに、内径を回転支軸２１１の外径よりも僅かに大きく設定してある。そして、挿入部Ｈ１１に、挿入部Ｈ１１の軸中心を挟んで対向する所定部位の周囲に軸方向に沿ってスリットを形成し、当該所定部位を弾性変形し得る弾性部として機能させるとともに、この弾性部の先端部に鉤状の係合片Ｈ１１ａを一体に形成している。コア本体部Ｈ１２は、挿入部Ｈ１１より大きい径を有するものであり、外側面側（挿入部の先端部側）に開口させた凹溝Ｈ１２ａを形成し、この凹溝Ｈ１２ａにバネＢを収容し得るように構成してある（図８参照）。バネＢは、挿入部Ｈ１１の径より大きく且つコア本体部Ｈ１２の径より小さい径を有するスプリング状のものであり、その長手寸法をコアＨ１の長手寸法より大きく設定している。
【００３３】
このようなコアＨ１を巻出用ギアＧ１に取り付けるには、先ず、コア本体部Ｈ１２の凹溝Ｈ１２ａにバネＢを収容した状態でコアＨ１の挿入部Ｈ１１を巻出用ギアＧ１の挿通孔Ｇ１１に挿入する。この操作に伴って、挿入部Ｈ１１の弾性部が相互に相寄る方向に弾性変形し、さらにコアＨ１を挿し込むと係合片Ｈ１１ａが巻出用ギアＧ１の挿通孔Ｇ１１を乗り越え、弾性部が弾性復帰することにより係合片Ｈ１１ａが巻出用ギアＧ１の外側面に係合する（図８参照）。この状態においてバネＢがコア本体部Ｈ１２の凹溝Ｈ１２ａと巻出用ギアＧ１の内側面との間に収縮した状態で介在し、このバネＢの付勢力（復元力）により係合爪Ｈ１１ａが巻出用ギアＧ１の外側面に係合する方向に付勢されている（同図参照）。このようにしてコアＨ１を脱落不能に取り付けた巻出用ギアＧ１を、第１外側板２１の回転支軸２１１に枢支させる。具体的には、コアＨ１の挿入部Ｈ１１を回転支軸２１１に外嵌させることにより行う。そして、この状態において巻出用ギアＧ１が回転支軸２１１の軸方向に沿って抜出することを規制する規制手段Ｒを、巻出用ギアＧ１と第１外側板２１との間に設けている。規制手段Ｒは、巻出用ギアＧ１に形成したスリットＧ１２と、第１外側板２１に設けられ巻出用ギアＧ１を回転支軸２１１に枢支させた状態において巻出用ギアＧ１のスリットＧ１２に挿入され、且つ巻出用ギアＧ１と係合する係合部２１３とから構成されている。係合部２１３は、第１外側板２１の内側面から第２外側板１１（詰替カートリッジ１）側に突出させてなり、先端部に回転支軸２１１から離間する方向に延び且つスリットＧ１２内に設けた段部Ｇ１３に係合し得る係合爪２１３ａを一体に有する。本実施形態においては、この係合部２１３を、回転支軸２１１を挟んで対向する位置に一対にして設けている（図６参照）。しかして、コアＨ１の挿入部Ｈ１１を回転支軸２１１に外嵌させる操作に引き続き、段部Ｇ１３に形成した切欠きＧ１４を介して係合爪２１３ａをスリットＧ１２に挿入し且つ段部Ｇ１３に係合させることにより、巻出用ギアＧ１が第１外側板２１と係わり合い、巻出用ギアＧ１が所定の取付位置に位置付けられ、巻出用ギアＧ１の抜出方向への移動が規制される。「巻出用ギアの抜出方向」とは巻出用ギアＧ１を回転支軸２１１の軸方向にそって抜出する方向を意味する。このようにして巻出用ギアＧ１を外側板２１の内側面に一体的に且つ脱落不能な状態で取り付ける。この取付状態において、巻出用ギアＧ１の回転動作中に係合部２１３（係合爪２１３ａ）が巻出用ギアＧ１のアーム部Ｇ１５に干渉しないように、係合部２１３の突出寸法を適宜設定してある。また、段部Ｇ１３に形成した切欠きＧ１４の円周方向に沿った開口巾を、各係合部２１３（係合爪２１３ａ）の巾より若干小さく設定し、この切欠きＧ１４を介して一旦スリットＧ１２に挿入した係合部２１３（係合爪２１３ａ）が切欠きＧ１４から抜け落ちることを防止している。さらに、切欠きＧ１４を等間隔毎に３箇所形成しているのに対して、係合部２１３を回転支軸２１１を挟んだ対向位置に一対にして設けているため、巻出用ギアＧ１の回転動作中に、これら一対の係合部２１３がそれぞれ同時に切欠きＧ１４を形成した部位に位置することがなく、巻出用ギアＧ１の安定した回転動作を実現するとともに、係合部２１３（係合爪２１３ａ）と段部Ｇ１３との係合状態が解除されないようにしている。
【００３４】
一方、巻取用ギアＧ２は、図６乃至図８に示すように、外縁に鋸歯を連続的に有し巻出用ギアＧ１と噛合するギア本体Ｇ２１と、ギア本体Ｇ２１の径より大きい径に設定された大径部Ｇ２２と、前記巻取用スプールＳＰ２の内周面に内嵌し得る本発明の筒状部たるコア部Ｇ２３とを有する一体成形品である。具体的には、ギア本体Ｇ２１の外側面上に大径部Ｇ２２を形成し、ギア本体Ｇ２１の内側面上にコア部Ｇ２３を形成してある。これらギア本体Ｇ２１、大径部Ｇ２２及びコア部Ｇ２３の中心を一致させるとともに、この中心部に、第１外側板２１の回転支軸２１２に対して回転可能に外嵌し得る挿通孔Ｇ２４を形成している。
【００３５】
次に、これら巻出用ギアＧ１及び巻取用ギアＧ２の取付手順について説明する。先ず、巻取用ギアＧ２を回転支軸２１２に枢支させる。具体的には、挿通孔Ｇ２４を回転支軸２１２に外嵌させることにより行う。これにより、巻取用ギアＧ２の大径部Ｇ２２が第１外側板２１の内側面に当接または近接する（図８参照）。この段階では、挿通孔Ｇ２４を回転支軸２１２に単に外嵌させているだけであるため、巻取用ギアＧ２は挿脱可能な状態となっている。引き続き、上記手順により巻出用ギアＧ１に一体的に取り付けたコアＨ１の挿入部Ｈ１１を回転支軸２１１に外嵌させるとともに、係合部２１３を切欠きＧ１４を介してスリットＧ１２に挿入し、係合爪２１３ａを段部Ｇ１３に係合させる。以上の手順により巻出用ギアＧ１を回転支軸２１１に枢支させ、巻出用ギアＧ１を第１外側板２１の内側面に抜出不能に取り付ける。また上記作業に伴って、コアＨ１の挿入部Ｈ１１に設けた係合片Ｈ１１ａが第１外側板２１の内側面に当接または近接するとともに、巻出用ギアＧ１と巻取用ギアＧ２とが相互に噛合する噛合部位において、巻取用ギアＧ２の大径部Ｇ２２が、巻出用ギアＧ１と第１外側板２１との間に介在する（同図参照）。その結果、回転支軸２１２の軸方向に沿った巻取用ギアＧ２の移動が規制され、巻取用ギアＧ２が回転支軸２１２から外れることを防止している。この場合、巻出用ギアＧ１が、巻取用ギアＧ２の抜出方向への移動を防止するストッパとして機能している。なお、「巻取用ギアの抜出方向」とは巻取用ギアＧ２を回転支軸２１２の軸方向にそって抜出する方向を意味する。以上の手順により、巻出用ギアＧ１及び巻取用ギアＧ２を外側板２１の内側面に脱落不能に取り付ける。そして、ケース２と詰替カートリッジ１とを嵌め合わせた際に、コアＨ１の外周が巻出用スプールＳＰ１の内周と噛み合うととともに、巻取用ギアＧ２のコア部Ｇ２３の外周が巻取用スプールＳＰ２の内周と噛み合うように設定している。
【００３６】
なお、第１外側板２１の中央部には、前後方向に延びるスリット２１４を上下に対をなして形成し、このスリット２１４を利用して後述するスライド部材３をケース２に対して前後方向にスライド移動可能に取り付けている。
【００３７】
ケース２の起立板２２、２３は、それぞれ所定の肉厚を有するものであり、ケース２に詰替カートリッジ１を嵌め合わせた際に、詰替カートリッジ１の内側板１２に設けた突起部１２５ａ、１２５ｂが嵌まり込む溝２２１、２３１と、第２外側板１１の内側面側の周縁部が当接し得る当接片２２２、２３２とを一体に有する。溝２２１、２３１は、各起立板２２、２３の起立方向に沿ってそれぞれ設けた一対のリブ２２１ａ間、及び２３１ａ間に形成されたものであり、前記突起部１２５ａ、１２５ｂを設けた箇所に対応する所定箇所に形成してある。そして、各溝２２１、２３１は、それぞれ一方の端部を詰替カートリッジ１側に開口させてなる開口縁とし、この開口縁を利用して詰替カートリッジ１の突起部１２５ａ、１２５ｂを挿脱可能に構成している。当接片２２２、２３２は、起立板２２、２３の先端部から、他方の起立板２３、２２に向かって第１外側板２１と略平行をなすように若干突出させたものである。各当接片２２２、２３２は、リブ２２１ａ同士の間、及びリブ２３１ａ同士の間には設けず、各溝２２１、２３１の開口縁が詰替カートリッジ１側に開口するように設定している。なお、ケース２に詰替カートリッジ１を嵌め合わせた際に、起立板２２、２３と第２外側板１１の外側面とが略面一となるように、当接片２２２、２３２を薄肉に設定している。
【００３８】
ケース２に取付可能なスライド部材３は、図１乃び図２に図示するように、第１外側板２１に形成した上下一対のスリット２１４に沿って、すなわち第１外側板２１の前後方向に沿ってスライド移動するものであり、第１外側板２１の外側面に沿って配置される側板３１と、ケース２の後端部側の略全域を覆うように設けられる操作板３２とを一体成形してなる、例えば合成樹脂製の平面視Ｌ字形をなす部材である。なお、ケース２にスライド部材３を取り付けた状態において、側板３１の外側面が第１外側板２１の外側面と略面一となるように、第１外側板２１の外側面には、前記スリット２１４の周囲を前記側板３１の形状に対応するように所定領域を第１外側板２１の内側面側に窪ませてなる凹陥部２１５を形成している（図８参照）。この凹陥部２１５を形成した領域の内側面に、前記回転支軸２１１、２１２を設けている。また、操作板３２は、ケース２の起立板２２、２３の後端部側の湾曲形状に沿って側面視概略部分円弧状に湾曲させたものであり、内側面の中央部に、詰替カートリッジ１の第２外側板１１の後端部に設けた嵌合爪１１２が嵌合する嵌合孔３２１を形成するとともに、外側面における両端部に一対の操作部３２２を形成している。また、各操作板３２の一端部からそれぞれ前方に向けて突出させた鉤状の係止片３２３を形成している。このような構成を有するスライド部材３に対してケース２は、起立板２２、２３の後端部に前記係止片３２３が係合可能な係止孔２２４、２３４を形成している。そして、一対の係止片３２３と、これら係止片３２３に対応する係止孔２２４、２３４とによって係止手段を構成し、係止片３２３と係止孔２２４、２３４とをそれぞれ相互に係り合わせることによって、スライド始端位置においてスライド部材３をケース２に安定保持させている。以上の構成により、スライド部材３をケース２に取り付け、且つ詰替カートリッジ１をケース２に組み付けた組立状態では、スライド部材３は、嵌合孔３２１と嵌合爪１１２との嵌合により詰替カートリッジ１と密接に関連付けられ、係止片３２３と係止孔２２４、２３４との係合によりケース２と係り合った状態となる。
【００３９】
このよう構成を有する転写具Ａを紙面等に接触させて所定方向にスライドさせると、転写ヘッドＫの先端部Ｋａと紙面等との間に挟まれた転写用糊Ｔが摩擦力で巻出用ギアＧ１及びコアＨ１と共に回転する巻出用スプールＳＰ１から送り出され、テープ本体Ｔａの片面に貼着した糊が紙面に貼付されると同時に、巻出用ギアＧ１に伴って逆回転する巻取用ギアＧ２と共に巻取用スプールＳＰ２が回転することによって、片面に糊を有しないテープ本体Ｔａが巻取用スプールＳＰ２に巻き取られることになる。なお、第２外側板１１の外側面側に設けた側面視部分円弧状のスリット１１４から、巻出用スプールＳＰ１の一側端部に円周方向に沿って間欠的に設けた図示しない丸溝に、ドライバやペン等先端部に尖った部位を有する適宜の工具又は筆記具等を差し込んで巻出用スプールＳＰ１を回転させると、それに伴って巻取用スプールＳＰ２も連動して回転することにより転写具Ａ内での転写用糊Ｔの緩みを調整できるようにしている。
【００４０】
また、この転写具Ａは、スライド部材３をケース２に対して前後方向にスライド移動させることにより、詰替カートリッジ１とケース２とを分離可能に構成し、スライド部材３、詰替カートリッジ１及びケース２を相互に関連づけて離間機構Ｘを形成している。この離間機構Ｘについて簡単に説明すると、離間機構Ｘは、ケース２の上下のスリット２１４内に挿入されるように側板３１の内側面側に形成した上下一対の突部３１１と、同じくスリット２１４内に挿入されるように前記詰替カートリッジ１の内側板１２においてケース２側に向けて形成した上下一対の離間誘発部１２６とから構成されている。この離間誘発部１２６は薄板状をなすものであり、前端部側を向いて傾斜するテーパ面１２６ａを形成している。そして、このような離間誘発部１２６を、突部３１１のスライド移動線上であるスリット２１４に挿入して待機させている。一方、前記突部３１１も薄板状の鉤形をなしており、後端部側を向いて傾斜するテーパ面３１１ａを形成している。また、スライド部材３がスライド動作に伴って後方に抜出しないように、スライド部材３に、突部３１１よりも後方位置において上下のスリット２１４内に挿入される上下一対の小突部３１２を形成し、スライド部材３を所定距離後方へスライド移動させた時点（スライド終端位置）で、小突部３１２がスリット２１４に形成したストッパ部に当接するように設定している。このような分離機構Ｘを利用して詰替カートリッジ１とケース２とを分離する手順について、図９を参照して説明する。なお、同図は一部を省略して示す要部拡大平面図である。詰替カートリッジ１とケース２とを組み付けてなる組立状態（同図（ａ）参照）において、使用者が一方の手でケース２の起立板２２、２３を保持し、他方の手でスライド部材３に設けた一対の操作部３２２を相互に相寄る方向に押圧しながらスライド始端位置に位置するスライド部材３をケース２に対して後方へスライド移動させる。この操作に伴って、係止片３２３と係止孔２２４、２３４との係合状態（係止手段における係合状態）、及び嵌合爪１１２と嵌合孔３２１との嵌合状態がそれぞれ解除されるとともに、スライド部材３の突部３１１がスリット２１４内で詰替カートリッジ１の内側板１２に設けた離間誘発部１２６と干渉し始める。さらにスライド部材３を後方へスライド移動させると、突部３１１のテーパ面３１１ａが離間誘発部１２６のテーパ面１２６ａに当接し、スライド部材３が詰替カートリッジ１の内側板１２に漸次乗り上げる（同図（ｂ）参照）。その際、内側板１２に設けた一対の突起部１２５ａ、１２５ｂが、ケース２の起立板２２、２３に形成した溝２２１、２３１に各々案内されることにより、詰替カートリッジ１がスライド部材３のスライド方向と略直交する方向に沿って略直線状に浮き上がりケース２から徐々に分離する。そして、スライド部材３を所定距離後方へスライド移動させスライド終端位置に達すると、スライド部材３の小突部３１２がスリット２１４に形成したストッパ部に当接し、それ以上のスライド移動が規制される。この状態において、使用者が詰替カートリッジ１をそのままスライド部材３のスライド方向と略直交する方向に沿って移動させることにより、詰替カートリッジ１とケース２とを分離させることができる。他方、新たな交換カートリッジ１をケース２に組み付けるには、ケース２の起立板２２、２３に形成した溝２２１、２３１に、新たな詰替カートリッジ１の突起部１２５ａ、１２５ｂを案内させながら詰替カートリッジ１とケース２とを徐々に近付けるだけでよい。この詰替カートリッジ１の交換作業時に、ケース２を上下左右反転させたとしても、巻出用ギアＧ１及び巻取用ギアＧ２は、第１外側板２１の内側面にそれぞれ抜出不能に取り付けられているため、これら巻出用ギアＧ１及び巻取用ギアＧ２がケース２から外れることがない。
【００４１】
このように、本実施形態に係る転写具Ａは、巻出用ギアＧ１を回転支軸２１１に枢支させた状態において、巻出用ギアＧ１が回転支軸２１１の軸方向に沿って抜出することを規制する規制手段Ｒを、第１外側板２１と巻出用ギアＧ１との間であって、巻出用ギアＧ１と回転支軸２１１との枢着部位とは異なる部位に設けているため、規制手段Ｒによって巻出用ギアＧ１が第１外側板２１から抜け落ちることを防止することができるとともに、枢着部位（巻出用ギアＧ１の回転中心部）とは異なる部位に規制手段Ｒを設けているため、巻出用ギアＧ１の回転中心部から離れた部位で生じ易い巻出用ギアＧ１の回転ブレをも抑制することができる。また、枢着部位における回転支軸２１１と巻出用ギアＧ１との組み付けは、単にコアＨ１の挿入部Ｈ１１を回転支軸２１１に外嵌させることにより行っているため、回転支軸２１１と挿入部Ｈ１１とのクリアランスが殆ど生じないように回転支軸２１１の外径と挿入部Ｈ１１の内径を適宜設定することが可能となり、枢着部位における回転ブレを抑制することができる。加えて、巻出用ギアＧ１と回転支軸２１１との枢着部位において、係合爪等の部品が存在しないため巻出用ギアＧ１と回転支軸２１１との摺動状態をより良好なものとすることができる。
【００４２】
特に、規制手段Ｒが、巻出用ギアＧ１の外縁部近傍領域と第１外側板２１とを相互に係り合わせて巻出用ギアＧ１を所定の取付位置に位置決めし得るものであるため、巻出用ギアＧ１と第１外側板２１との枢支状態を安定したものとすることができ、巻出用ギアＧ１の外縁部で生じ易い回転ブレをより確実に抑制することができる。
【００４３】
また、規制手段Ｒを、巻出用ギアＧ１に形成され所定の開口巾を有する円環状のスリットＧ１２と、第１外側板２１に設けられ巻出用ギアＧ１の回転動作を妨げない範囲においてスリットＧ１２に挿入され巻出用ギアＧ１と係合する係合部２１３とを用いて構成しているため、簡素な構造を用いて規制手段Ｒを構成することができるとともに、スリットＧ１２が円環状であるため、巻出用ギアＧ１の円滑な回転駆動が規制手段Ｒを設けることによって何ら損なわれることがない。
【００４４】
スリットＧ１２内に、スリットＧ１２の開口巾を狭める方向に突出させてなる段部Ｇ１３を設けるとともに、係合部２１３に、段部Ｇ１３に係合可能な係合爪２１３ａを設けているため、段部Ｇ１３に係合爪２１３ａを引っ掛けることによりスリットＧ１２と係合部２１３との係合状態を良好なものとすることができる。
【００４５】
また、段部Ｇ１３をスリットＧ１２の外周面に沿って略円弧状に設けるとともに、段部Ｇ１３の一部に切欠きＧ１４を形成し、切欠きＧ１４を介して係合爪２１３ａをスリットＧ１２に挿入し且つ段部Ｇ１３に係合させるように構成しているので、係合爪２１３ａを段部Ｇ１３に係合させる操作をスムーズかつ的確に行うことができる。
【００４６】
加えて、巻出用ギアＧ１に、スリットＧ１２を跨ぐ位置にアーム部Ｇ１５を設けているため、巻出用ギアＧ１がスリットＧ１２を境に２つの部材に分断されることがなく、好適である。
【００４７】
さらに、係合部２１３を第１外側板２１に一対にして設けているため、巻出用ギアＧ１の取付状態（規制手段Ｒの係合状態）をより安定したものとすることができ、巻出用ギアＧ１の抜出方向への移動及び巻出用ギアＧ１の回転ブレを有効に規制することができる。
【００４８】
特に、規制手段Ｒを、巻出用ギアＧ１と第１外側板２１との間にのみ設け、巻取用ギアＧ２の大径部Ｇ２２を、巻出用ギアＧ１と第１外側板２１との間に位置付けているため、規制手段Ｒを何れのギアＧ１、Ｇ２にも関連付けて設ける態様と比較して、部品点数の削減及び製作工程の簡素化を図ることができるとともに、規制手段Ｒにより相互に係り合わせた巻出用ギアＧ１と第１外側板２１との間に巻取用ギアＧ２の大径部Ｇ２２を介在させることにより巻取用ギアＧ２の抜出方向への移動も同時に防止することができる。特に、ギア本体Ｇ２１と大径部Ｇ２２とを一体に形成しているため、部品点数の削減及びコストの削減に資する。
【００４９】
また、転写具Ａが、巻出用ギアＧ１、巻取用ギアＧ２と共にそれぞれ回動し、回転支軸２１１、２１２に対して回転可能に外嵌するとともに、巻出用スプールＳＰ１、巻取用ＳＰ２とそれぞれ係合するコアＨ１、コア部Ｇ２３を有するものであるため、巻出用ギアＧ１と回転支軸２１１との枢着部位、及び巻取用ギアＧ２と回転支軸２１２との枢着部位の強度を高めることができ、転写用糊Ｔの送り出し動作及び巻き取り動作を安定したものとすることができる。しかも、コア部Ｇ２３を巻取用ギアＧ２に一体に設けているため、部品点数の削減を図ることができる。
【００５０】
回転支軸２１１、２１２に巻出用ギアＧ１、巻取用ギアＧ２を枢支させた第１外側板２１が、ケース２を構成する部材であるため、詰替カートリッジを交換する作業時に例えばケース２を逆さまにした場合であっても、上述の構成により巻出用ギアＧ１及び巻取用ギアＧ２がケース２に脱落不能に取り付けられており、巻出用ギアＧ１及び巻取用ギアＧ２ギアが落下することがなく、実用性に優れたものとなる。
【００５１】
なお、本発明は、以上に詳述した実施形態に限られるものではない。
【００５２】
例えば、図１０（ａ）に示すように、規制手段Ｒを、ギアＧと回転支軸Ｊ１との間であって、且つギアＧと回転支軸Ｊ１との枢着部位とは異なる部位に設けてもよい。このようなものであっても、規制手段Ｒによって、ギアＧの側板Ｊからの抜け落ち及びギアＧの回転中心部から離れた部位で生じ得るギアＧの回転ブレを抑制することができる。なお、同図における「側板Ｊ」は、上記実施形態における第１外側板２１に略相当し、「回転支軸Ｊ１」は、上記実施形態における回転支軸２１１（２１２）に略相当する。また、同図においては、ギアＧに形成した凹部ＧＸに係合する係合部Ｊ２を回転支軸Ｊ１とともに一体成形したものを示しているが、係合部が回転支軸Ｊ１に一体的に取り付けられるタイプのものであっても構わない。また、凹部ＧＸとして、有底の溝を採用しているが、この溝の替わりに、スリットや、周辺領域より窪ませてなるいわゆる窪みを採用してもよい。
【００５３】
また、規制手段を、一方のギアと一方の側板又は回転支軸との間に設けるとともに、他方のギアと一方の側板または回転支軸との間にも設け、他方のギアと一方の側板又は回転支軸とを規制手段により係り合わせることにより、他方のギアを所定の取付位置に位置決めするようにしてもよい。この場合、他方のギアに、一方のギアと一方の側板との間に介在させるための部材を設ける必要はない。このような構成であっても各ギアが一方の側板から抜け落ちることを確実に防止することができる。
【００５４】
また、規制手段がギアの外縁部近傍部位と一方の側板とを相互に係り合わせている上記実施形態のものに限らず、規制手段が、ギアにおける中心部と外縁との中間位置よりも外縁側の部位と、一方の側板又は回転支軸とを相互に係り合わせて、ギアを所定の取付位置に位置決めし得るように設定したものであればよい。このようなものであれば、ギアの回転中心部から離れた部位を一方の側板又は回転支軸に係合させることとなり、ギアと側板との枢支状態の安定性を向上させることができ、ギアの回転中心部から離れた部位で生じ易い回転ブレを抑制することができる。
【００５５】
また、段部を凹部の内周面に沿って設けてもよい。この場合には、係合爪を、枢着部位に向かって内向きに突出するように設けることにより、段部に係合爪を係合させることができる。
【００５６】
また、アーム部は、凹部の内周面より内側の領域と、凹部の外周面より外側の領域とを接続するものであればよく、例えば凹部の内方側の部位である回転支軸と、凹部の外方側の部位であるギアの外縁部近傍領域とを接続するようにアーム部を設けてもよい。さらに、凹部が有底の溝や窪みである場合、アーム部がこれら薄肉の部位である溝や窪みを補強するリブとしても機能し、ギアの強度を有効に高めることが可能である。
【００５７】
一方、規制手段を、一方の側板に設けられ前記ギアの回転動作を妨げない範囲においてギアの一部に係合する係合部を用いて構成しても構わない。その一例として、図１０（ｂ）に示すように、一方の側板Ｊに、ギアＧの外縁側からギアＧに係合し得る係合部Ｊ２を設けたものが挙げられる。具体的には、この係合部Ｊ２に、ギアＧの一部であって且つギアＧを取り付けていない他方の側板側を向く部位に係合可能な係合爪Ｊ２ａを設けている。このようなものであれば、ギアＧに凹部を形成する必要がなく、構造の簡略化を図ることができる。なお、このような規制手段Ｒを採用する場合、係合部Ｊ２を設けることによってギアＧ同士の噛合状態に支障を来たすことのないように、係合部Ｊ２をギアＧ同士が噛合する噛合部位から離れた位置に設けることが好ましい。また、規制手段を、回転支軸に設けられ前記ギアの回転動作を妨げない範囲においてギアの一部に係合する係合部を用いて構成しても構わない。その一例として、図１０（ｃ）に示すように、回転支軸Ｊ１に、ギアＧの外側面側からギアＧに係合し得る係合部Ｊ２を設けたものが挙げられる。具体的には、この係合部Ｊ２に、ギアＧの一部であって且つギアＧを取り付けていない他方の側板側を向く部位に係合可能な係合爪Ｊ２ａを設けている。なお、同図においては、ギアＧに係合する係合部Ｊ２を回転支軸Ｊ１とともに一体成形したものを示しているが、係合部が回転支軸Ｊ１に一体的に取り付けられるタイプのものであっても構わない。また、係合部Ｊ２が係合する被係合部ＧＸをギアＧにおける他方の側板側を向く部位に設けているが、この被係合部ＧＸの形状は係合部Ｊ２が係合するものであればよく、特に限定されるものではない。なお、図１０は、ギアと側板との関係を模式的に示す図であり、本発明の筒状部（コア）は省略している。
【００５８】
また、係合部を単数或いは２以上に適宜増減しても勿論構わない。
【００５９】
さらに、一方のギアと前記一方の側板との間に位置付けられる他方のギアの大径部が、他方のギアに一体的に取り付けられる別部材のものであってもよい。加えて、一方のギアを回転支軸に枢支させた状態において、このギアに、他方のギアの一部を他方の側板側から覆い得る被覆部を設け、一方の側板と被覆部との間に、他方にギアの一部を位置付けるように構成してもよい。この場合、被覆部が、他方のギアの抜出方向への移動を規制するストッパとして機能する。
【００６０】
なお、上記実施形態においては、詰替カートリッジとケースとを用いて構成される転写具について説明したが、いわゆる使い切りタイプの転写具であってもよい。この場合、転写具の外側壁を構成する一対の側板が本発明の「一対の側板に」に相当する。
【００６１】
また、転写物としての転写用糊は、固体又は液体のり何れであってもよく、その他、修正テープや粘着テープ、粘着性を有しないテープ等のテープ類、接着剤等、転写対象物に転写される転写物一般に対して適用可能なものである。
【００６２】
その他、各部の具体的構成についても上記実施形態に限られるものではなく、本発明の趣旨を逸脱しない範囲で種々変形が可能である。
【図面の簡単な説明】
【００６３】
【図１】本発明の一実施形態に係る転写具を示す全体斜視図。
【図２】同分解斜視図。
【図３】同実施形態における詰替カートリッジをスプールを省略して示す分解斜視図。
【図４】同実施形態における転写ヘッドを示す図。
【図５】同実施形態におけるヘッドキャップを示す図。
【図６】同実施形態におけるケースの分解斜視図。
【図７】同ケースの側面図。
【図８】図７におけるＡ−Ａ線断面を一部省略して示す図。
【図９】同実施形態の作用説明図。
【図１０】同実施形態における規制手段の一変形例を示す図。
【符号の説明】
【００６４】
１…詰替カートリッジ
１１…他方の側板（第２外側板）
２…ケース
２１…一方の側板（第１外側板）
２１１、２１２…回転支軸
２１３…係合部
２１３ａ…係合爪
Ａ…転写具
Ｈ１…筒状部（コア）
Ｇ１…一方のギア（巻出用ギア）
Ｇ１２…凹部（スリット）
Ｇ１３…段部
Ｇ１４…切欠き
Ｇ１５…アーム部
Ｇ２…他方のギア（巻取用ギア）
Ｇ２１…ギア本体
Ｇ２２…大径部
Ｇ２３…筒状部（コア部）
Ｒ…規制手段
ＳＰ１、ＳＰ２…スプール（巻出用スプール、巻取用スプール）
Ｔ…転写物（転写用糊）
【図１】
2005199631.tif 000003
【図２】
2005199631.tif 000004
【図３】
2005199631.tif 000005
【図４】
2005199631.tif 000006
【図５】
2005199631.tif 000007
【図６】
2005199631.tif 000008
【図７】
2005199631.tif 000009
【図８】
2005199631.tif 000010
【図９】
2005199631.tif 000011
【図１０】
2005199631.tif 000012